(57)【要約】【課題】端末機の呼受信率を向上させるＰＴＴ通信方法を提供する。【解決手段】本発明は、基地局が、端末機とＰＴＴ（Push to Talk）通信のデータ呼を確立する段階と、前記ＰＴＴ通信を支援するサーバに、前記端末機が登録されているか否かの登録状態を確認する段階と、前記登録状態に従って、前記データ呼の解除のためのメッセージを前記端末機へ送信するタイミングを決定する段階と、を含むことを特徴とする。すなわち、端末機のＰＺＩＤ変更時において、該端末機のサーバ登録状態に従って、基地局が呼接続状態を制御し、端末機の呼受信率を向上させる方法を提供する。【選択図】図１
2006191630.tif 000002
【特許請求の範囲】
【請求項１】
基地局が、端末機とＰＴＴ（Push to Talk）通信のデータ呼を確立する段階と、
前記ＰＴＴ通信を支援するサーバに、前記端末機が登録されているか否かの登録状態を確認する段階と、
前記登録状態に従って、前記データ呼の解除のためのメッセージを前記端末機へ送信するタイミングを決定する段階と、
を含むことを特徴とするＰＴＴ通信方法。
【請求項２】
前記端末機は、他の基地局領域から前記基地局領域へと変わる変更領域に位置している状態であることを特徴とする請求項１に記載のＰＴＴ通信方法。
【請求項３】
前記端末機は、前記基地局から受信する前記基地局の識別子と、予め格納している前記他の基地局の識別子とを比較し、これら２つの識別子が異なる場合、前記基地局に対して前記識別子の変更を通知するためのデータ呼を転送することを特徴とする請求項２に記載のＰＴＴ通信方法。
【請求項４】
前記データ呼を受信した前記基地局は、前記端末機とデータ呼を確立することを特徴とする請求項３に記載のＰＴＴ通信方法。
【請求項５】
前記２つの識別子が異なる場合、前記端末機は、前記基地局の識別子を格納することを特徴とする請求項３に記載のＰＴＴ通信方法。
【請求項６】
前記端末機が前記サーバに登録されている場合、前記基地局は、前記データ呼の解除のためのメッセージを前記端末機に直ちに送信することを特徴とする請求項１に記載のＰＴＴ通信方法。
【請求項７】
前記端末機が前記サーバに登録されていない場合、前記基地局は、前記データ呼の解除のためのメッセージの送信を、所定時間だけ遅らせることを特徴とする請求項１に記載のＰＴＴ通信方法。
【請求項８】
前記端末機は、前記データ呼の解除のためのメッセージを受信すると、アイドル（idle）状態に切り替わることを特徴とする請求項１に記載のＰＴＴ通信方法。
【請求項９】
前記端末機は、前記サーバの登録状態を格納することを特徴とする請求項１に記載のＰＴＴ通信方法。
【発明の詳細な説明】
【技術分野】
【０００１】
本発明は、端末機の呼受信率（call receiving rate）を向上させるＰＴＴ通信方法に関するものである。
【背景技術】
【０００２】
ＰＴＴ（Push To Talk）通信は、１対多（point-to-multipoint）通信方式の一つである。
【０００３】
ＰＴＴ通信システムは、一人のユーザが、限定された時間内に他のネットワークメンバーへ情報を送信することを可能にする。情報の送信を許容されたユーザは、いわゆる排他的な送信特権を持つ者である。この場合、他のネットワークメンバーは、送信特権を持つユーザが情報を送信する間は受信しかできない。
【０００４】
もちろん、ＰＴＴ通信は、１対１通信の他、複数のユーザ同士間のグループ通信も可能である。
【０００５】
図２は、一般的なＰＴＴ端末機を示す図である。
【０００６】
送信特権を持つユーザが、端末機１００の一側に設けられたＰＴＴスイッチ１１０を押すと、送信モードに切り替わる。すなわち、ＰＴＴスイッチ１１０がオン（ON）になると、音声データの送信が可能になる。一方、ＰＴＴスイッチ１１０がオフ（OFF）になると、ＰＴＴ端末機１００は受信モードに切り替わる。
【０００７】
ＰＴＴ端末機１００の送信モードは、ＰＴＴ端末機１００が音声データを送信のみするモードであり、ＰＴＴ端末機１００の受信モードは、ＰＴＴ端末機１００が音声データを受信のみするモードである。
【０００８】
図３は、従来技術におけるＰＴＴ通信を実行するためのシステム概略構成を示した図である。
【０００９】
従来のＰＴＴ通信システムは、図３に示すように、複数のＰＴＴ端末機２１１，２１２，２１３と、複数の基地局２２１，２２２と、インターネット、イントラネットまたはエクストラネットとの接続を支援するサーバ２３０と、を備えて構成される。
【００１０】
図３では、異なるネットワークを形成する２つの基地局２２１，２２２を含むシステムを一例として示した。
【００１１】
第１ＰＴＴ端末機２１１及び第２ＰＴＴ端末機２１２は、第１基地局２２１と無線通信を行う。
【００１２】
第３ＰＴＴ端末機２１３は、第２基地局２２２と無線通信を行う。
【００１３】
第１基地局２２１及び第２基地局２２２は、インターネット、イントラネットまたはエクストラネットを介してサーバ２３０と通信を行う。
【００１４】
ＰＴＴ通信システムでは、ＰＴＴサービスを提供する一定範囲の地域（area）を複数のパケットゾーン（packet zone）に区分する。この区分された各パケットゾーンには、それぞれを識別するための識別子（Packet Zone Identifier；以下、‘ＰＺＩＤ’）が与えられる。
【００１５】
ＰＴＴ通信システムでは、このＰＺＩＤを用いて通信を行う。
【００１６】
図３において、第１ＰＴＴ端末機２１１及び第２ＰＴＴ端末機２１２は、ＰＺＩＤ‘Ａ’が与えられた領域（zone）に位置し、第３ＰＴＴ端末機２１３は、ＰＺＩＤ‘Ｂ’が与えられた領域に位置している。
【００１７】
また、ＰＺＩＤ‘Ａ’が与えられた領域については、第１基地局２２１が通信を支援し、ＰＺＩＤ‘Ｂ’が与えられた領域については、第２基地局２２２が通信を支援する。したがって、ＰＺＩＤ‘Ａ’領域に位置している第１ＰＴＴ端末機２１１と第２ＰＴＴ端末機２１２は、第１基地局２２１と通信を行い、ＰＺＩＤ‘Ｂ’領域に位置している第３ＰＴＴ端末機２１３は、第２基地局２２２と通信を行う。
【００１８】
図４は、従来技術におけるＰＴＴ端末機をサーバに登録する過程を示すフローチャートである。
【００１９】
図４を参照すると、ＰＴＴ端末機の電源がオン（ON）になった後（Ｓ２０）、ＰＴＴ端末機がＰＴＴ通信が可能な状態になると（Ｓ２１）、該ＰＴＴ端末機はデータ呼（data call）を発信する（Ｓ２２）。すなわち、ユーザがＰＴＴ端末機に設けられたＰＴＴスイッチ１１０を押すことでデータ呼が発信される。
【００２０】
このデータ呼の発信によりＰＴＴ端末機がＰＴＴサーバに登録される（Ｓ２３）。
【００２１】
このときに、ＰＴＴサーバに登録されたか否かのサーバ登録状態、すなわち、サーバ登録に成功したか否かをメモリに格納する（Ｓ２４）。
【００２２】
その後、ＰＴＴ端末機は、データ呼の処理を終了し（Ｓ２５）、アイドル状態（idle state）（スタンバイモード（dormant mode））に切り替わる（Ｓ２６）。
【００２３】
図５は、従来技術によるＰＴＴ端末機が、異なるＰＺＩＤ値を有する領域へ移動した場合の呼接続過程を示すフローチャートである。すなわち、ＰＴＴ端末機が、ＰＺＩＤ値の変更を要する領域へ移動した場合の呼接続過程を示している。
【００２４】
図５を参照すると、ＰＴＴ端末機は、基地局からＰＺＩＤ値を受信する（Ｓ４１）。
【００２５】
ＰＴＴ端末機は、受信したＰＺＩＤ値と格納しているＰＺＩＤ値とを比較する（Ｓ４２）。
【００２６】
比較した２つの値が一致しなければ、ＰＴＴ端末機は、異なるＰＺＩＤ値を有する領域へ移動したものと判断し、ＰＺＩＤ変更を通知するためのデータ呼を発信する（Ｓ４３）。
【００２７】
ＰＴＴ端末機は、ＰＺＩＤ変更通知のためのデータ呼を発信してから所定時間（例えば、約２０秒）待機する（Ｓ４４）。この所定時間の間、ＰＴＴ端末機は、データ呼の接続状態を維持する。
【００２８】
所定時間の経過後、ＰＴＴ端末機は、基地局から転送されたデータ呼解除メッセージ（data call release message）を受信する（Ｓ４５）。
【００２９】
このデータ呼解除メッセージを受信すると、ＰＴＴ端末機は、接続状態にあるデータ呼の処理を終了する（Ｓ４６）。その後、アイドル（idle）状態に切り替わる（Ｓ４７）。
【００３０】
このように、従来技術では、ＰＴＴ端末機は、以前のＰＺＩＤと異なるＰＺＩＤ領域へ移動すると、ＰＺＩＤ変更を知らせるために、基地局にデータ呼を発信していた。
【発明の開示】
【発明が解決しようとする課題】
【００３１】
しかしながら、従来技術では、データ呼を発信した後、基地局からデータ呼解除メッセージを受信するまでの所定時間（約２０秒）の間、データ呼の接続状態（すなわち、通話状態）を強制的に維持する必要があるため、基地局にＰＺＩＤ変更を知らせるデータ呼を発信してから、基地局からデータ呼解除メッセージを受信するまで、呼受信が不可能であるという問題点があった。
【００３２】
すなわち、従来技術では、ＰＴＴ端末機が、サーバに既に登録されているか否かにかかわらず、ＰＺＩＤが変わると（異なるＰＺＩＤ値を受信すると）、それによるＰＺＩＤ変更登録のためのデータ呼を試み、該データ呼を試みてから無条件に所定時間、例えば、２０秒間、データ呼接続状態、つまり、通話状態を維持しなければならなかった。
【課題を解決するための手段】
【００３３】
本発明は、このような点に鑑みてなされたもので、その目的は、ＰＺＩＤ変更時に、端末機のサーバ登録状態に従って、呼接続状態を制御することにより、端末機の呼受信率を向上させる方法を提供することにある。
【００３４】
このような目的を達成するために本発明では、基地局が、端末機とＰＰＴ（Push to Talk）通信のデータ呼を確立する段階と、前記ＰＴＴ通信を支援するサーバに、前記端末機が登録されているか否かの登録状態を確認する段階と、前記登録状態に従って、前記データ呼の解除のためのメッセージ（呼解除命令メッセージ（Call release order message））を前記端末機へ送信するタイミングを決定する段階と、を含むことを特徴とするＰＴＴ通信方法を提供する。
【００３５】
この場合、前記端末機は、他の基地局領域から前記基地局領域へと変わる変更領域に位置している状態である。従って、前記端末機は、前記基地局から受信する前記基地局の識別子と、予め格納している前記他の基地局の識別子とを比較し、これら２つの識別子が一致しない（異なる）場合、前記基地局に対して識別子の変更を通知するためのデータ呼を転送するとよい。前記データ呼を受信した前記基地局は、前記端末機とデータ呼を確立する。なお、前記端末機は、前記２つの識別子が異なる場合、前記基地局の識別子を格納するとよい。
【００３６】
より好ましくは、前記端末機が前記サーバに登録されている場合、前記基地局は、前記データ呼の解除のためのメッセージを前記端末機に直ちに送信するとよい。
【００３７】
一方、前記端末機が前記サーバに登録されていない場合、前記基地局は、前記データ呼の解除のためのメッセージの送信を、所定時間だけ遅らせるようにするとよい。
【００３８】
より好ましくは、前記端末機は、前記データ呼の解除のためのメッセージを受信すると、アイドル（idle）状態に切り替わるとよい。
【００３９】
より好ましくは、前記端末機は、前記サーバの登録状態を格納するとよい。
【発明の効果】
【００４０】
本発明によれば、ＰＴＴ端末機がＰＺＩＤ変更を要する領域へ移動した場合に、ＰＴＴ端末機のＰＴＴサーバへの登録状態に関わらず、ＰＴＴ端末機と基地局との間で所定時間の間、呼接続状態を維持し、この所定時間内にＰＴＴ端末機にかかってくる電話を受信することができないという従来の問題点を解決することができ、ＰＺＩＤ変更領域におけるＰＴＴ端末機の呼受信率を一層向上させることが可能になる。
【００４１】
特に、ＰＺＩＤ変更領域に居住したり、ＰＺＩＤ領域を頻繁に移動するユーザに対して、高い呼受信率を提供することができるようになる。
【発明を実施するための最良の形態】
【００４２】
以下、本発明に係るＰＴＴ通信方法の好適な一実施形態を、添付図面を参照しつつ詳細に説明する。図面に基づいて以下に説明する本発明の構成及び作用は、本発明の一例を示すものであり、これにより本発明の技術的思想及びその核心構成並びに作用が限定されるものではない。
【００４３】
本発明の一実施形態に係る端末機は、ＰＴＴ通信を支援するＰＴＴ端末機である。このＰＴＴ端末機にＰＴＴ通信を提供する基地局は、パケットゾーンを区分するためのＰＺＩＤを使用する。
【００４４】
本発明の一実施形態に係るＰＴＴ端末機は、ＰＴＴ通信を実行するためのＰＴＴスイッチが設けられている。
【００４５】
このＰＴＴスイッチは、ＰＴＴ通信時に音声データの送信を可能にするためのものである。ＰＴＴ端末機は、ＰＴＴスイッチがオンになると、音声データを送信するための送信モードで動作し、ＰＴＴスイッチがオフになると、音声データを受信するための受信モードで動作する。
【００４６】
ＰＴＴ端末機は、インターネット、イントラネットまたはエクストラネットなどの接続を支援しながらＰＴＴ通信を支援するＰＴＴサーバに登録される。
【００４７】
ＰＴＴ端末機は、該端末機自体のＰＴＴ通信を支援する基地局を介してＰＴＴサーバに接続する。その基地局には固有のＰＺＩＤ値が与えられている。
【００４８】
ＰＴＴ端末機は、該端末機自体が位置しているＰＺＩＤ領域において、ＰＴＴ登録のためのデータ呼を該当の基地局に発信する。これにより、ＰＴＴ端末機と基地局との間にデータ呼が接続される。
【００４９】
その後、ＰＴＴ端末機は、ＰＴＴ登録メッセージ（PTT registration message）を発信する。これによりＰＴＴ端末機が、ＰＴＴサーバに接続すると、ＰＴＴサーバに登録されたか否かのサーバ登録状態、すなわち、サーバ登録に成功したか否かをメモリに格納する。
【００５０】
一旦、ＰＴＴサーバの登録に成功すると、ＰＴＴ端末機は、現在位置しているＰＺＩＤ領域の基地局から受信したＰＺＩＤ値を格納する。
【００５１】
基地局は、そのＰＺＩＤ領域に位置している複数のＰＴＴ端末機にＰＺＩＤ値を送信する。
【００５２】
ＰＴＴ端末機からＰＺＩＤ変更通知のためのデータ呼を受信すると、基地局は、そのＰＴＴ端末機との間にデータ呼を確立する。続いて、基地局は、該当のＰＴＴ端末機がＰＴＴサーバに登録されているか否かを確認する。基地局は、データ呼を発信したＰＴＴ端末機の登録状態をサーバに照会し、その結果をサーバから受信する。
【００５３】
基地局は、ＰＴＴサーバから送られてきたＰＴＴ端末機の登録状態に従って、該ＰＴＴ端末機に対する呼解除命令メッセージ（Call release order message）を送信するタイミングを決定する。
【００５４】
より詳しくは、ＰＴＴ端末機がＰＴＴサーバに登録されている場合には、基地局は、データ呼の確立後、直ちに呼解除命令メッセージをＰＴＴ端末機に送信する。これにより端末機は、無条件に所定時間の間、データ呼接続状態を維持する必要がなくなる。
【００５５】
一方、ＰＴＴ端末機がＰＴＴサーバに登録されていなければ、基地局は、ＰＴＴ端末機へ送信する呼解除命令メッセージの送信を遅らせる。すなわち、基地局は、所定時間が経過した後に、ＰＴＴ端末機へ呼解除命令メッセージを送信する。
【００５６】
図１は、本発明の一実施形態によるＰＴＴ端末機の呼受信率を向上させるＰＴＴ通信方法の手順を示すフローチャートであり、ＰＺＩＤを変更する場合の過程を示している。
【００５７】
図１を参照すると、ＰＴＴ端末機は、基地局から以前に受信したＰＺＩＤを格納している。
【００５８】
ＰＴＴ端末機が、異なるＰＺＩＤ値を有する領域に位置するようになると、該ＰＴＴ端末機は、該当の基地局（今後変更されるＰＺＩＤの基地局）から転送されたＰＺＩＤ値を受信する（Ｓ５１）。
【００５９】
該ＰＴＴ端末機は、受信したＰＺＩＤ値と格納しているＰＺＩＤ値とを比較する（Ｓ５２）。
【００６０】
比較した２つの値が一致しなければ、ＰＴＴ端末機は、異なるＰＺＩＤ値を有する領域へ移動したものと判断する。従って、ＰＴＴ端末機は、新たに受信したＰＺＩＤ値を格納し、ＰＺＩＤ変更を通知するためのデータ呼を発信する（Ｓ５３）。これにより、ＰＴＴ端末機と基地局との間にデータ呼が確立される（Ｓ５４）。
【００６１】
データ呼が確立された状態で、基地局は、ＰＴＴ端末機がサーバに登録されているか否かを確認する（Ｓ５５）。このサーバは、ＰＴＴ通信を支援するＰＴＴサーバである。
【００６２】
ＰＴＴ端末機がＰＴＴサーバに登録されていると、基地局は、現在接続中のデータ呼を解除するための呼解除命令メッセージをＰＴＴ端末機に転送する（Ｓ５６）。
【００６３】
一方、ＰＴＴ端末機がＰＴＴサーバに登録されていなければ、基地局は、所定時間（例えば、約２０秒間）、待機した後に、ＰＴＴ端末機に呼解除命令メッセージ（Call release order message）を転送する（Ｓ５７、Ｓ５８）。この場合、ＰＴＴ端末機は、所定時間の間、データ呼の接続状態を維持する。
【００６４】
これら２つの場合のうち何れか一方を通じて呼解除命令メッセージを受信したＰＴＴ端末機は、データ呼の現在の接続を解除する（Ｓ５９）。
【００６５】
続いて、ＰＴＴ端末機は、新たなＰＺＩＤをメモリに格納した後（Ｓ６０）、アイドル状態（idle state）に切り替わる（Ｓ６１）。
【００６６】
このように、本発明では、ＰＴＴ端末機は、ＰＺＩＤ変更領域に位置すると、ＰＺＩＤ変更を通知するデータ呼を基地局に発信してデータ呼接続し、ＰＴＴ端末機がＰＴＴサーバに既に登録された状態であれば、データ呼接続の後に、直ちに基地局から呼解除命令メッセージを受信する。つまり、ＰＴＴ端末機は、ＰＴＴサーバに登録されていれば、直ちに呼解除命令メッセージを受信することができるので、従来のようにＰＴＴサーバへの登録の有無にかかわらず、データ呼を発信してから呼解除命令メッセージを受信するまでの所定時間、データ呼接続状態を維持する必要がなくなる。従って、ＰＴＴ端末機のＰＺＩＤ変更時における呼受信可能時間が増えるようになる。すなわち、呼の開始時間を短縮することができるようになる。
【００６７】
以上では具体的な一実施形態について説明したが、本発明は、この一実施形態に限定されず、本発明の精神及び必須の特徴を逸脱しない範囲で、他の特定の形態に具体化できることは、当業者にとって自明である。したがって、本発明の範囲は、添付された特許請求の範囲の合理的解釈によって定められるべきであり、本発明との均等範囲内でのあらゆる変更は、本発明の範囲に含まれるものと理解するべきである。
【図面の簡単な説明】
【００６８】
【図１】本発明の一実施形態によるＰＴＴ端末機の呼受信率を向上させる手順を示すフローチャートである。
【図２】一般的なＰＴＴ端末機を示す概略図である。
【図３】従来技術におけるＰＴＴ通信を行うためのシステム概略構成を示す図である。
【図４】従来技術におけるＰＴＴ端末機をＰＴＴサーバに登録する過程を示したフローチャートである。
【図５】従来技術によるＰＴＴ端末機が、異なるＰＺＩＤ値を有する領域へ移動した場合の呼接続過程を示すフローチャートである。
【図１】
2006191630.tif 000003
【図２】
2006191630.tif 000004
【図３】
2006191630.tif 000005
【図４】
2006191630.tif 000006
【図５】
2006191630.tif 000007